(57)【要約】【課題】コンピュータからデバイスを制御するために必要な設定値を設定する際のユーザの使い勝手を向上させる。【解決手段】画面右ブロック３には、基本設定タブ４１が表示され、この基本設定タブ４１において複数の設定項目の設定値を選択できる。ある設定項目について、選択可能な各設定値のうち特定の設定値（例えばデフォルト値）とは異なる設定値が選択されてデバイスの制御に用いられたことがある場合には、その設定項目に対応したグループ６１が画面左ブロック４内に生成され、そのブロック４内に、用いられたことのある設定値を示すアイコン６２，６２ａが表示される。画面左ブロック４にグループ６１が表示されている設定項目については、そのグループ６１内に含まれている設定値については、画面左ブロック４内で選択状態を切り替えることができる。【選択図】図３
2015191549.tif 000002
【特許請求の範囲】
【請求項１】
コンピュータに接続されるデバイスを制御するための制御用の設定値を設定可能なデバイス制御装置として前記コンピュータを機能させるためのデバイス制御プログラムであって、
前記コンピュータは、
表示部と、
前記制御用の設定値を記憶可能な記憶部と、
制御部と、を備えており、
前記制御部に実行させる処理として、
複数の設定項目毎に前記設定値を選択させるための詳細設定画面を前記表示部に表示させる第１の画面表示処理と、
前記記憶部の記憶内容に基づき、特定の設定値とは異なる前記設定値に変更されたことのある前記設定項目である選択変更設定項目がある場合に、前記選択変更設定項目毎に、前記変更されたことのある前記設定値である選択変更設定値を選択肢に設定する選択肢設定処理と、
前記選択変更設定項目毎に、前記選択肢設定処理により設定された前記選択肢のうち少なくとも１つが表示された画面であって、前記選択変更設定項目毎に特定の１つの前記選択肢が選択状態として表示された簡易設定画面を前記表示部に表示させる第２の画面表示処理と、
前記設定項目毎に、前記詳細設定画面において確定された前記設定値が前記特定の設定値とは異なる場合にその確定された設定値を前記選択変更設定値として前記記憶部に記憶する記憶処理と、
を有することを特徴とするデバイス制御プログラム。
【請求項２】
請求項１に記載のデバイス制御プログラムであって、
前記制御部に実行させる処理として、
前記簡易設定画面において、前記選択変更設定項目毎に、対応する前記選択肢の中から選択状態の変更操作を受け付ける選択処理と、
前記選択処理により前記選択状態の選択肢の変更操作を受け付けた場合、前記詳細設定画面に表示されている各前記設定項目のうち、前記変更操作を受け付けた選択肢の前記選択変更設定項目と同じ設定項目に対して、前記簡易設定画面で選択状態にされている前記選択肢と同じ設定値を選択状態とする両画面同期処理と、
を有することを特徴とするデバイス制御プログラム。
【請求項３】
請求項１又は請求項２に記載のデバイス制御プログラムであって、
前記制御部に実行させる処理として、
前記詳細設定画面において前記設定値の選択状態が変更された場合に、その選択状態に変更された前記設定値が、前記選択肢として設定されていない新規選択設定値である場合は、その新規選択設定値を、対応する前記設定項目の選択肢として追加設定して且つ選択状態として前記簡易設定画面に表示させる追加表示処理、を有する
ことを特徴とするデバイス制御プログラム。
【請求項４】
請求項３に記載のデバイス制御プログラムであって、
前記追加表示処理では、前記新規選択設定値を前記選択肢として前記簡易設定画面に表示させる際、同じ前記設定項目について他に前記選択肢が表示されていない場合は、前記新規選択設定値に加えて、同じ設定項目における前記特定の設定値も、前記選択肢として追加設定する
ことを特徴とするデバイス制御プログラム。
【請求項５】
請求項１〜請求項４の何れか１項に記載のデバイス制御プログラムであって、
確定操作がなされた場合に、少なくとも前記選択変更設定項目以外の前記設定項目については前記詳細設定画面において選択状態にある前記設定値を前記制御用の設定値として確定させ、前記選択変更設定項目については前記簡易設定画面において選択状態にある前記選択肢を前記制御用の設定値として確定させる確定処理、
を有し、
前記記憶処理では、前記記憶部に前記選択変更設定値が記憶されている前記設定項目に対し、前記詳細設定画面において前記特定の設定値が選択状態に変更されてその特定の設定値が前記確定処理によって制御用の設定値として確定された場合は、その特定の設定値を前記選択変更設定値として前記記憶部に記憶する
ことを特徴とするデバイス制御プログラム。
【請求項６】
請求項１〜請求項５の何れか１項に記載のデバイス制御プログラムであって、
前記第１の画面表示処理及び前記第２の画面表示処理の開始時には、前回の前記確定処理において確定された各前記設定値を選択状態として表示させる
ことを特徴とするデバイス制御プログラム。
【請求項７】
請求項１〜請求項６の何れか１項に記載のデバイス制御プログラムであって、
前記制御部に実行させる処理として、
前記選択肢として設定されている前記設定値に対する、前記選択肢としての設定状態を、個別に又は複数一括して解除するための、選択肢解除操作を受け付ける選択肢解除処理を有する
ことを特徴とするデバイス制御プログラム。
【請求項８】
請求項１〜請求項７の何れか１項に記載のデバイス制御プログラムであって、
前記選択肢毎に、前記選択肢を示す画像である選択用画像が用意されており、
前記簡易設定画面には、選択状態にある前記選択肢の前記選択用画像を少なくとも含む特定の数の前記選択用画像が表示され、
前記制御部に実行させる処理として、前記簡易設定画面において、選択状態の前記選択用画像を切り替える画像切替操作を受け付けてその切り替えられた新たな前記選択用画像に対応した前記選択肢を選択状態とする画像切替処理を有する
ことを特徴とするデバイス制御プログラム。
【請求項９】
デバイスを接続可能な情報処理装置で用いられ、前記デバイスを制御するための制御用の設定値を設定するためのデバイス制御方法であって、
複数の設定項目毎に前記設定値を選択させるための詳細設定画面を表示部に表示させる第１の画面表示ステップと、
特定の設定値とは異なる前記設定値に変更されたことのある前記設定項目である選択変更設定項目がある場合に、前記選択変更設定項目毎に、前記変更されたことのある前記設定値である選択変更設定値を選択肢に設定する選択肢設定ステップと、
前記選択変更設定項目毎に、前記選択肢設定ステップにより設定された前記選択肢のうち少なくとも１つが表示された画面であって、前記選択変更設定項目毎に特定の１つの前記選択肢が選択状態として表示された簡易設定画面を前記表示部に表示させる第２の画面表示ステップと、
前記設定項目毎に、前記詳細設定画面において確定された前記設定値が前記特定の設定値とは異なる場合にその確定された設定値を前記選択変更設定値として記憶する記憶ステップと、
を有することを特徴とするデバイス制御方法。
【請求項１０】
情報を表示可能な表示部と、
情報を記憶可能な記憶部と、
制御部と、
を備え、接続されるデバイスを制御するための制御用の設定値を設定可能なデバイス制御装置であって、
前記制御部は、
複数の設定項目毎に前記設定値を選択させるための詳細設定画面を前記表示部に表示させる第１の画面表示処理と、
前記記憶部の記憶内容に基づき、特定の設定値とは異なる前記設定値に変更されたことのある前記設定項目である選択変更設定項目がある場合に、前記選択変更設定項目毎に、前記変更されたことのある前記設定値である選択変更設定値を選択肢に設定する選択肢設定処理と、
前記選択変更設定項目毎に、前記選択肢設定処理により設定された前記選択肢のうち少なくとも１つが表示された画面であって、前記選択変更設定項目毎に特定の１つの前記選択肢が選択状態として表示された簡易設定画面を前記表示部に表示させる第２の画面表示処理と、
前記設定項目毎に、前記詳細設定画面において確定された前記設定値が前記特定の設定値とは異なる場合にその確定された設定値を前記選択変更設定値として前記記憶部に記憶する記憶処理と、
を実行することを特徴とするデバイス制御装置。
【発明の詳細な説明】
【技術分野】
【０００１】
本発明は、デバイスを制御するためのデバイス制御プログラム、デバイス制御方法、及びデバイス制御装置に関する。
【背景技術】
【０００２】
情報処理装置にデバイスを接続して情報処理装置からデバイスを制御する場合、情報処理装置にデバイスドライバをインストールして、デバイスドライバを介して制御することが一般的である。デバイスとして例えばプリンタを使いたい場合、情報処理装置にプリンタドライバをインストールすることで、情報処理装置からプリンタを制御でき、印刷に必要な設定情報を設定して、その設定内容で印刷を実行させることができる。
【０００３】
印刷させる際にプリンタドライバで設定可能な設定項目は様々である。また、設定項目毎に、選択可能な設定値の種類や数も様々である。ユーザは、複数の設定項目の中から、印刷の目的や印刷内容などに応じて、設定項目毎に設定値を適した値に変更して印刷出力させることができる。
【０００４】
しかし、プリンタドライバで設定可能な設定項目は非常に多い。そのため、印刷を行うたびに、多くの設定項目の中から設定したい設定項目を探して設定値を変更することは、ユーザにとって面倒である。
【０００５】
これに対し、特許文献１には、ユーザがよく使う設定値をお気に入りとして登録しておき、印刷実行前にお気に入りを選択することで登録された設定状態で印刷させることが可能な技術が開示されている。
【先行技術文献】
【特許文献】
【０００６】
【特許文献１】特開２００８−２１７８２６号公報
【発明の概要】
【発明が解決しようとする課題】
【０００７】
しかし、上記のようなお気に入り登録機能は、ユーザ（特に機械操作の不慣れなユーザ）にとってわかりにくい場合が多く、どのようにすれば登録できるのか容易には理解できない場合が多い。また、登録方法がわかったとしても、実際の登録作業は、登録対象の設定項目が多ければ多いほど面倒で手間がかかる。
【０００８】
本発明は上記課題に鑑みなされたものであり、コンピュータからデバイスを制御するために必要な設定値を設定する際のユーザの使い勝手を向上させることを目的とする。
【課題を解決するための手段】
【０００９】
上記課題を解決するためになされた本発明は、コンピュータに接続されるデバイスを制御するための制御用の設定値を設定可能なデバイス制御装置としてコンピュータを機能させるためのデバイス制御プログラムである。コンピュータは、表示部と、制御用の設定値を記憶可能な記憶部と、制御部とを備えている。本発明のデバイス制御プログラムは、制御部に実行させる処理として、第１の画面表示処理と、選択肢設定処理と、第２の画面表示処理と、記憶処理と、を有する。
【００１０】
第１の画面表示処理は、複数の設定項目毎に設定値を選択させるための詳細設定画面を表示部に表示させる処理である。選択肢設定処理は、記憶部の記憶内容に基づき、特定の設定値とは異なる設定値に変更されたことのある設定項目である選択変更設定項目がある場合に、選択変更設定項目毎に、変更されたことのある設定値である選択変更設定値を選択肢に設定する処理である。第２の画面表示処理は、選択変更設定項目毎に、選択肢設定処理により設定された選択肢のうち少なくとも１つが表示された画面であって、選択変更設定項目毎に特定の１つの選択肢が選択状態として表示された簡易設定画面を表示部に表示させる処理である。記憶処理は、設定項目毎に、詳細設定画面において確定された設定値が特定の設定値とは異なる場合にその確定された設定値を選択変更設定値として記憶部に記憶する処理である。
【００１１】
本発明のデバイス制御プログラムを制御部に実行させることで、特定の設定値（例えば予め決められた初期値）から変更されたことのある設定値についてはそれが簡易設定画面に表示される。簡易設定画面には、設定変更の履歴が反映された設定値が選択肢として表示される。そのため、簡易設定画面を見ることで、ユーザは、自身がよく使う設定値が選択状態にされているかどうかを容易に確認することができる。また、簡易設定画面内でも選択変更を行えるようにすれば、より使い勝手が良くなる。そのため、本発明によれば、設定値を設定する際のユーザの使い勝手を向上させることができる。
【００１２】
なお、コンピュータとデバイスとの接続形態には、有線及び無線の双方が含まれる。また、本発明は、上記のプログラムのほか、そのプログラムが実行される装置、その装置を含む各種システム、デバイスを制御する方法など、種々の形態で実現することができる。
【図面の簡単な説明】
【００１３】
【図１】実施形態の印刷システムの構成を示すブロック図である。
【図２】ドライバ画面の第１の例を示す説明図である。
【図３】ドライバ画面の第２の例を示す説明図である。
【図４】ドライバ画面の第３の例を示す説明図である。
【図５】ドライバ画面の第４の例を示す説明図である。
【図６】ドライバ画面の第５の例を示す説明図である。
【図７】プリンタドライバの処理内容を示すフローチャートである。
【図８】図７におけるＳ１６０の右ブロック処理を示すフローチャートである。
【図９】図７におけるＳ１７０の左ブロック処理を示すフローチャートである。
【発明を実施するための形態】
【００１４】
以下に、本発明の好適な実施形態を図面に基づいて説明する。
（１）印刷システムの構成
図１に示すように、本実施形態の印刷システム１は、パーソナルコンピュータ（以下「ＰＣ」という）１０とプリンタ３０とを備えている。ＰＣ１０とプリンタ３０は、ＬＡＮ（Local Area Network）１００を通じて相互にデータ通信可能である。
【００１５】
ＰＣ１０は、ＣＰＵ１１、ＲＯＭ１２、ＲＡＭ１３、ハードディスクドライブ（以下「ＨＤＤ」という）１４、操作部１５、表示部１６、ＵＳＢインタフェース１７、及びネットワークインタフェース１８を備え、これらがバス１９を介して相互に接続されている。
【００１６】
ＨＤＤ１４は、各種のソフトウェアやデータなどを記憶可能な記憶装置である。本実施形態では、ＨＤＤ１４には、ソフトウェアとして少なくとも、ＯＳ（Operating System）２１、プリンタドライバ２２、アプリケーション２３が記憶されている。即ち、ＨＤＤ１４には、これら各種ソフトウェアを構成するプログラムやデータなどが記憶されている。ＲＯＭ１２は、周知の不揮発性メモリであり、特定のプログラム（例えばＢＩＯＳ）やデータなどが記憶されている。
【００１７】
ＣＰＵ１１は、ＲＯＭ１２やＨＤＤ１４に記憶された各種プログラムやデータなどに従って、ＰＣ１０の各部に対する制御および各種演算を実行する。ＲＡＭ１３は、ＣＰＵ１１から直接アクセスされるメインメモリとして利用される揮発性のメモリである。なお、ＨＤＤ１４に記憶されている各種プログラムがＣＰＵ１１により実行される際は、そのプログラムが一旦ＲＡＭ１３に読み込まれ、そのＲＡＭ１３に読み込まれたプログラムに従って、ＣＰＵ１１がそのプログラムを実行する。
【００１８】
操作部１５は、キーボードや各種ポインティングデバイスなどを有する。ポインティングデバイスの具体例としては、マウス、タッチパッド、ポインティングスティックなどが挙げられる。表示部１６は、液晶ディスプレイや有機ＥＬディスプレイなどの各種の表示デバイスを有する。
【００１９】
操作部１５は、タッチパネルを備えている。具体的には、表示部１６における、画像情報が表示される表示面に、タッチパネルが重畳配置されている。そのため、表示部１６に表示されている画面に対して、キーボードや各種ポインティングデバイスを用いて各種の入力操作が可能であるのに加え、タッチパネルに対する各種の接触操作（例えばタップ、フリック、スワイプ、ドラッグ）によっても各種の入力操作を行うことができる。
【００２０】
ネットワークインタフェース１８は、ＰＣ１０をＬＡＮ１００に接続するための通信インタフェースである。ＵＳＢインタフェース１７は、各種周辺機器とＵＳＢケーブルで接続するための通信インタフェースである。プリンタ３０がＵＳＢインタフェースを備えている場合には、プリンタ３０とＰＣ１０とをＵＳＢケーブルで接続することも可能である。
【００２１】
プリンタ３０は、ＣＰＵ３１、ＲＯＭ３２、ＲＡＭ３３、ＮＶＲＡＭ（Non Volatile RAM）３４、操作部３５、表示部３６、印刷部３７、及びネットワークインタフェース３８を備え、これらがバス３９を介して相互に接続されている。
【００２２】
ＣＰＵ３１は、ＲＯＭ３２やＮＶＲＡＭ３４などに記憶されている各種プログラムに従ってプリンタ３０内の各部の制御および各種演算を実行する。ＲＡＭ３３は、ＣＰＵ３１から直接アクセスされるメインメモリとして利用される。ＲＡＭ３３は、ＰＣ１０から受信した印刷データを格納するためのバッファとしても利用される。ＮＶＲＡＭ３４は、電気的に書き換え可能な不揮発性メモリである。ＮＶＲＡＭ３４には、プリンタ３０に関する各種設定情報が記憶されている。
【００２３】
操作部３５は、ユーザによる入力操作を受け付ける入力装置であり、例えば、操作ボタンやタッチパネルなどを含む。表示部３６は、例えば液晶ディスプレイによって構成された表示装置である。液晶ディスプレイの表示領域には、操作部３５を構成するタッチパネルが重畳配置される。
【００２４】
印刷部３７は、インクジェット方式や電子写真方式の印刷機構を有し、シート状の被記録媒体に画像を印刷することが可能である。プリンタ３０では、ＰＣ１０から印刷データを受信すると、その印刷データの画像を印刷部３７によって印刷出力させることができる。ネットワークインタフェース３８は、プリンタ３０をＬＡＮ１００に接続するための通信インタフェースである。
【００２５】
（２）ＰＣ１０が備えるソフトウェアの説明
ＰＣ１０には、マルチタスク機能を備えたＯＳ２１がインストールされ、複数のプロセスが並列に機能するとともに、それら複数のプロセスが連携して各種処理を実行するようになっている。また、ＰＣ１０には、プリンタドライバ２２、アプリケーション２３もインストールされている。
【００２６】
なお、以下の説明では、プログラムを実行するＣＰＵ１１のことを、単にプログラム名で記載する場合がある。例えば、「プリンタドライバ２２が」という記載は、「プリンタドライバ２２を実行するＣＰＵ１１が」を意味する場合がある。ＯＳ２１やアプリケーション２３などについても同様である。
【００２７】
アプリケーション２３として、例えば文書作成用のソフトウェア、表計算用のソフトウェア、画像処理用のソフトウェアなどが挙げられる。以下、一例として、アプリケーション２３が文書作成用のソフトウェアであるものとして説明する。
【００２８】
ＰＣ１０においてアプリケーション２３が起動され、ユーザにより文書作成及びその文書の印刷指示操作が行われると、アプリケーション２３は、印刷すべき文書に対応する印刷関連の命令を生成し、その命令をＯＳ２１を介してプリンタドライバ２２へ伝達する。
【００２９】
プリンタドライバ２２は、ＰＣ１０からプリンタ３０を制御するための周知のソフトウェア（デバイスドライバの一種）である。
ＰＣ１０のユーザが、アプリケーション２３によって作成した文書をプリンタ３０で印刷させるべく、アプリケーション２３の実行中に特定の印刷指示操作を行うと、アプリケーション２３は、使用可能なプリンタのリスト（本実施形態ではプリンタ３０のみ）を表示させる。ユーザが、印刷出力させたいプリンタ３０を選択して特定の設定画面表示操作を行うと、その操作情報がプリンタドライバ２２に渡され、プリンタドライバ２２が、ドライバ画面を表示部１６に表示させる。
【００３０】
図２に、ドライバ画面４０の一例を示す。ドライバ画面４０は、ＰＣ１０の表示部１６における特定の表示領域に、独立した１つの画面（ウィンドウとも呼ばれる）として表示される。
【００３１】
ドライバ画面４０は、大きく分類すると、表示領域として画面右ブロック３と画面左ブロック４とを有する。ドライバ画面４０における下端（詳しくは画面右ブロック３の下側）には、ＯＫボタン５とキャンセルボタン６が表示される。
【００３２】
画面右ブロック３には、基本設定タブ４１と、拡張機能タブ４２と、おまかせ印刷タブ４３とが選択的に表示される。つまり、画面右ブロック３には、上記３つのタブ４１〜４３のうち何れか１つについてはその表示内容が全て表示（以下「全体表示」ともいう）され、他の２つのタブについてはタブのタイトルのみ表示される。ユーザは、特定のタブのタイトルを選択操作すると、そのタブを最前面に出して全体表示させることができる。図２は、画面右ブロック３において、３つのタブ４１〜４３のうち基本設定タブ４１が全体表示されている例が示されている。
【００３３】
タブの選択操作の具体的方法としては、例えば、マウスのポインタをそのタイトルに重畳させた状態でマウスを左クリックする方法や、表示部１６におけるタイトルが表示されている領域を指示体（例えば指先）で直接タップ操作する方法などがある。後述する画面左ブロック４内の２つのタブ４４，４５の選択操作についても同様である。
【００３４】
基本設定タブ４１には、図２に示すように、プリンタ３０で印刷させる際に設定可能な各種の設定項目について、設定項目名と、設定値選択用のユーザインタフェース要素（以下「選択用ＵＩ」という）が表示される。選択用ＵＩとしては、図２に示すように、選択ボックス、ラジオボタン、チェックボックスなどが用いられている。各選択用ＵＩに対しては、例えば上述したマウス操作やタップ操作などによる選択入力操作が可能である。
【００３５】
基本設定タブ４１には、設定項目として、用紙種類、印刷品質、用紙サイズ、縁なし印刷、カラーモード、印刷の向き、印刷部数、逆順での印刷、印刷時のレイアウト、ページ順序、仕切り線、両面印刷及び小冊子印刷、及び給紙方法が表示されており、それぞれに対して選択用ＵＩが表示されている。
【００３６】
例えば、用紙種類に対しては、用紙種類選択ボックス５１が表示されており、この用紙種類選択ボックス５１に用意されている複数種類の用紙種類（例えば普通紙、厚紙、ＯＨＰシートなど）の中から何れか１つを選択して選択状態とすることができる。図２は、普通紙が選択状態にされている例を示している。
【００３７】
印刷品質に対しては印刷品質選択ボックス５２が表示され、用紙サイズに対しては用紙サイズ選択ボックス５３が表示されている。図２は、印刷品質として普通が選択状態にされ、用紙サイズとしてＡ４が選択状態にされている例を示している。
【００３８】
印刷の向きに対しては、選択可能な縦向き及び横向きの各設定値の名称が表示されると共に各々に対して選択用ラジオボタン５４が表示される。縦又は横の何れかのラジオボタン５４を選択することで、所望の印刷の向きを選択状態にすることができる。図２は、印刷の向きとして縦向きが選択状態にされている例を示している。
【００３９】
レイアウトとは、作成した文書を１枚の印刷用紙に対して何ページ分ずつ印刷させるかを表す設定項目である。レイアウトに対しては、レイアウト選択ボックス５５が表示されており、このレイアウト選択ボックス５５に用意されている複数種類のレイアウト（例えば２ページ、４ページ、８ページなど）の中から何れか１つを選択して選択状態とすることができる。図２は、レイアウトとして２ページが選択状態にされている例を示している。
【００４０】
その他、両面印刷に対しては両面印刷選択ボックス５６が表示され、給紙方法に対しては給紙方法選択ボックス５７が表示されている。図２は、両面印刷についてはなし（つまり両面印刷を行わない）が選択状態にされ、給紙方法に対しては自動選択が選択状態にされている例を示している。
【００４１】
プリンタドライバ２２がＰＣ１０にインストールされて初めて起動され、ドライバ画面４０が表示されるときは、各設定項目の設定値は、予め決められた初期値（以下「デフォルト値」ともいう）が選択状態にされて表示される。本実施形態では、一例として、印刷の向きのデフォルト値は縦向きに設定されており、レイアウトのデフォルト値は１ページに設定されているものとする。拡張機能タブ４２及びおまかせ印刷タブ４３にも、それぞれ、各種の設定項目および選択用ＵＩが表示され、設定値を選択できるようになっている。
【００４２】
キャンセルボタン６が押されると、ドライバ画面４０が表示部１６から消去される。その場合、ドライバ画面４０が表示部１６に表示されてからキャンセルボタン６が押されるまでの間にドライバ画面４０に対して行われた入力操作は全て無効とされる。
【００４３】
ＯＫボタン５が押された場合も、ドライバ画面４０は表示部１６から消去されるが、この場合、ＯＫボタン５が押されたときに選択状態にされていた各設定値が、対応する各設定項目の設定値として確定される。
【００４４】
そのため、ＯＫボタン５が押された後、実際に印刷実行指示が行われて印刷データがプリンタ３０に送信される際には、印刷データに加えて、OKボタン５が押されたときに確定された各設定値の情報もプリンタ３０に送信される。そして、プリンタ３０では、送信されてきた各設定値に基づいて印刷データの印刷出力が実行される。なお、ＯＫボタン５及びキャンセルボタン６の押し操作は、例えばマウス操作やタップ操作などにより可能である。
【００４５】
画面左ブロック４には、印刷状態表示タブ４４と、設定簡易選択タブ４５とが選択的に表示される。つまり、画面左ブロック４には、上記２つのタブ４４，４５のうち一方については全体表示され、他方のタブについてはタブのタイトルのみ表示される。ユーザは、何れかのタブのタイトルを選択操作すると、そのタブを全体表示させることができる。図２は、画面左ブロック４において、２つのタブ４４，４５のうち印刷状態表示タブ４４が全面表示されている例が示されている。印刷状態表示タブ４４には、画面右ブロック３内の各タブ４１〜４３における特定の複数の設定項目について、現在選択状態にされている設定値が表示される。
【００４６】
（３）プリンタドライバ２２の特徴的機能
本実施形態のプリンタドライバ２２が有する最も特徴的な機能の１つに、ドライバ画面４０の画面左ブロック４内に設定簡易選択タブ４５を表示させてその中で特定の設定項目の設定値を切り替えることが可能な機能がある。この機能について詳しく説明する。
【００４７】
まず、図３を用いて具体的な例を説明する。図３は、画面左ブロック４に設定簡易選択タブ４５が表示されている例を示している。プリンタドライバ２２がＰＣ１０にインストールされて初めて起動され、ドライバ画面４０が表示されるときは、設定簡易選択タブ４５には何も表示されず、空欄の状態となる。また、画面右ブロック３の各タブ４１〜４３の各設定値は全てデフォルト値に設定された状態となる。
【００４８】
その初めて起動された状態で、基本設定タブ４１において印刷の向きがデフォルト値である縦向きから横向きに選択変更されると、図３に例示するように、画面左ブロック４の設定簡易選択タブ４５内に、印刷の向きに対応したグループである印刷の向きグループ６１が新規追加される。そして、その印刷の向きグループ６１内に、変更後の設定値及びデフォルト値が選択肢としてそれぞれ追加（具体的には各々を示すアイコンが追加）され、そのうち変更後の選択肢、即ち基本設定タブ４１において選択状態にされている設定値（ここでは横向き）が、印刷の向きグループ６１内においても選択状態として表示される。具体的には、横向きを示すアイコンが選択状態アイコン６２としてグループの中央部に表示され、他の選択肢（ここではデフォルト値である縦向き）のアイコンは、選択状態アイコン６２の左右何れかに、選択状態アイコン６２よりも小さいサイズの非選択状態アイコン６２ａとして表示される。なお、各設定値のアイコンの画像データは、プリンタドライバ２２の一部として含まれている。
【００４９】
印刷の向きグループ６１内では、特定の操作を行うことで、選択状態の選択肢を切り替えることができる。具体的には、非選択状態アイコン６２ａとして表示されている縦向きのアイコンに対してマウス操作やタップ操作などによる選択操作を行うと、中央部に表示される選択状態アイコン６２が、縦向きを示すアイコンに切り替わる。逆に、それまで選択状態のアイコン６２として表示されていた横向きを示すアイコンは、非選択状態アイコン６２ａとして小さいサイズで表示される。さらに、印刷の向きグループ６１内で上記のように選択状態の選択肢が横向きから縦向きに切り替えられた場合は、その内容が、画面右ブロック３にも反映される。即ち、基本設定タブ４１における、印刷の向きの選択状態が、横向きから縦向きに自動的に変更される。つまり、本実施形態では、設定簡易選択タブ４５内での選択状態と、画面右ブロック３の各タブ４１〜４３内での選択状態とが常に同期しており、双方で同じ設定値が選択状態となるように構成されている。
【００５０】
なお、設定項目によっては、設定簡易選択タブ４５において、１つのグループ内に４つ以上の選択肢が含まれることもあるが、本実施形態では、１つのグループについて同時に表示可能なアイコンの数は、中央部の選択状態のアイコンを含めて最大で３つである（図６参照）。そのため、１つのグループ内に４つ以上の選択肢が含まれている場合は、一部の選択肢のアイコンについては直接表示されずに隠れた状態となる。その場合、隠れた状態にある選択肢を選択したい場合は、例えば、左右何れかの非選択状態アイコンを操作したり、グループ内の表示領域を左右方向にスワイプ操作したりすることで、アイコンの表示状態を左右方向にスライドさせて、隠れていたアイコンを表示させ、選択状態に切り替えることができる。
【００５１】
図３に例示した状態、即ち印刷の向きが横向きに変更されて選択状態にされている状態で、ＯＫボタン５が押し操作されると、そのときの選択状態が確定され、ＨＤＤ１４に記憶される。また、ＯＫボタン５が押し操作されると、そのとき設定簡易選択タブ４５内において選択状態に設定されている各グループの選択肢が、選択履歴情報としてＨＤＤ１４に記憶される。この選択履歴情報は、ＯＫボタン５が押し操作される度に累積的に記憶される。
【００５２】
そして、次に再びドライバ画面４０を表示させたときは、ＨＤＤ１４に記憶されている情報に基づき、前回ＯＫボタン５が押し操作されたときに確定された各設定値がそのまま選択状態にされた状態で表示される。設定簡易選択タブ４５についても同様であり、図３の状態でＯＫボタン５を押し操作してドライバ画面４０が消去された後、再びドライバ画面４０を表示させたときは、図３と同じ状態が再現される。具体的には、設定簡易選択タブ４５については、選択履歴情報が読み出され、選択履歴情報として記憶されているグループ毎に、記憶されている設定値のアイコン及びデフォルト値のアイコンが表示される。そして、各グループそれぞれ、前回確定時に選択状態にされていた設定値のアイコンが、選択状態アイコンとしてグループ内に中央表示される。
【００５３】
なお、設定簡易選択タブ４５に複数のグループが追加されている場合は、各グループが上下方向に並べて表示される（図４参照）。設定簡易選択タブ４５内に同時に表示可能なグループの数は、本実施形態では最大で４つである。そのため、設定簡易選択タブ４５に５つ以上のグループが追加されている場合は、一部のグループについては直接表示されずに隠れた状態となる。その場合、隠れた状態にあるグループに対して選択状態の選択肢を変更したい場合は、例えば、設定簡易選択タブ４５内に表示される上下方向の矢印（不図示）をクリックしたり、設定簡易選択タブ４５内を上下方向にスワイプ操作したりすることで、グループの表示状態を上下方向にスライドさせて、隠れていたグループを表示させることができる。
【００５４】
図３に例示した状態で、例えば、基本設定タブ４１においてレイアウトが４ページに選択変更されると、図４に例示するように、画面左ブロック４の設定簡易選択タブ４５内に、レイアウトに対応したグループであるレイアウトグループ６３が新規追加される。そして、そのレイアウトグループ６３内に、変更後の設定値及びデフォルト値が選択肢としてそれぞれ追加（具体的には各々を示すアイコンが追加）され、そのうち変更後の選択肢、即ち基本設定タブ４１において選択状態にされている設定値（ここでは４ページ）が、レイアウトグループ６３内においても選択状態として表示される。具体的には、４ページを示すアイコンが選択状態アイコン６４としてグループの中央部に表示され、他の選択肢（ここではデフォルト値である１ページ）のアイコンは、選択状態アイコン６４の左右何れかに、選択状態アイコン６４よりも小さいサイズの非選択状態アイコン６４ａとして表示される。
【００５５】
レイアウトグループ６３内でも、印刷の向きグループ６１と同様、選択状態の選択肢の切り替えが可能である。また、レイアウトグループ６３内の選択状態が切り替えられるとその内容が画面右ブロック３に反映されることについても、印刷の向きグループ６１と同様である。例えば、レイアウトグループ６３内で、１ページのアイコンが選択されてその１ページのアイコンが選択状態アイコン６４に切り替わると、それに同期して、基本設定タブ４１におけるレイアウトの設定値選択状態も、４ページから１ページに切り替わる。図４に例示した状態でＯＫボタン５が押し操作されると、そのときの選択状態が確定されてＨＤＤ１４に記憶され、設定簡易選択タブ４５内において選択状態に設定されている各グループの選択肢が、選択履歴情報としてＨＤＤ１４に累積記憶される。そして、次に再びドライバ画面４０を表示させたときは、図４と同じ選択状態のドライバ画面４０が表示される。設定簡易選択タブ４５についても、前回確定時の状態が再現される。
【００５６】
図４に例示した状態で、例えば、基本設定タブ４１においてレイアウトが４ページから２ページに変更されると、図５に例示するように、設定簡易選択タブ４５内のレイアウトグループ６３内に、選択肢として２ページが新規追加されると共に、その２ページの選択肢が選択状態に設定される。つまり、選択状態アイコン６４が、２ページの選択肢のアイコンに切り替わる。一方、それまで選択状態アイコン６４として表示されていた４ページの選択肢は、レイアウトグループ６３から消去される。この例では、選択状態に設定されていた４ページの選択肢は、過去に選択確定されて選択履歴情報として記憶されている選択肢ではなく、あくまでも、今回表示中に新たに選択された選択肢であってまだ確定にはいたっていない暫定的な選択肢である。本実施形態では、そのような暫定的な選択肢については、たとえそれが選択されて設定簡易選択タブ４５で選択状態の選択肢に設定されても、その後基本設定タブ４１において別の設定値が選択された場合は、設定簡易選択タブ４５から消去される。
【００５７】
ただし、設定簡易選択タブ４５における、図４から図５への遷移例は、あくまでも一例であり、設定簡易選択タブ４５に追加されていない新たな設定値が基本設定タブ４１で選択される毎に、その新たな設定値を累積的に選択肢として設定簡易選択タブ４５に追加していくようにしてもよい。
【００５８】
具体的には、図４に例示した状態から、基本設定タブ４１においてレイアウトが４ページから２ページに変更された場合、図６に例示するように、直前に選択状態に設定されていた４ページの選択肢をレイアウトグループ６３に残したまま、新たに２ページの選択肢を追加して選択状態に設定するようにしてもよい。この場合、図６に例示した状態から更に、例えば、基本設定タブ４１においてレイアウトが８ページに変更された場合は、設定簡易選択タブ４５のレイアウトグループ６３に８ページの選択肢が追加されて合計で４つの選択肢が追加された状態になる。この場合、新たに追加された８ページの選択肢のアイコンが選択状態アイコン６４として中央表示され、１ページ又は４ページの選択肢のうち何れか１つのアイコンは非表示状態となる。
【００５９】
このように、設定簡易選択タブ４５にない新たな設定値が画面右ブロック３側で選択される毎に、その設定値を設定簡易選択タブ４５内に累積的に追加していくようにしてもよい。ただしその場合も、最終的に選択履歴情報として記憶されるのは、あくまでも、ＯＫボタン５が押し操作されたときに設定簡易選択タブ４５において選択状態にされている選択肢である。即ち、例えば図３に例示した状態から基本設定タブ４１内でレイアウトが４ページに変更されたことにより図４の状態に遷移し、その後さらに基本設定タブ４１内でレイアウトが２ページに変更されたことにより図６の状態に遷移したとしても、最終的に例えば図６の状態でＯＫボタン５が押し操作された場合は、レイアウトグループ６３については、そのとき選択状態にある２ページが選択履歴情報として記憶され、選択状態にない４ページは選択履歴情報としては記憶されない。
【００６０】
（４）プリンタドライバ２２の処理
次に、ＰＣ１０のＣＰＵ１１がプリンタドライバ２２を実行することにより行われる処理の内容について、図７のフローチャートを用いて説明する。ＰＣ１０のＣＰＵ１１は、特定のタイミングでプリンタドライバ２２のプログラムを読み込んで実行する。そして、プリンタドライバ２２の実行の過程で、特定の設定画面表示操作が行われると、図７に示す処理を開始する。
【００６１】
ＣＰＵ１１は、図７の処理を開始すると、Ｓ１１０で、前回終了時、即ち前回ＯＫボタン５が押し操作されてドライバ画面４０の表示が終了したときの、確定した選択状態をＨＤＤ１４から読み込む。これにより、前回ＯＫボタン５が押し操作されたときに選択状態にされていた各設定値が把握される。
【００６２】
Ｓ１２０では、選択履歴情報をＨＤＤ１４から読み込む。これにより、設定簡易選択タブ４５に表示すべき内容が把握される。即ち、過去にデフォルト値とは異なる設定値が確定されたことのある設定項目のグループが把握され、さらに、グループ毎に、過去に確定されたことのある設定値が選択肢として把握される。
【００６３】
Ｓ１３０では、表示部１６にドライバ画面４０を表示させる。具体的には、画面右ブロック３においては、基本設定タブ４１を全面表示させると共に、各設定項目の設定値の選択状態を、Ｓ１１０で把握した設定値（即ち前回確定された値）に設定する。画面左ブロック４においては、設定簡易選択タブ４５を表示させると共に、その設定簡易選択タブ４５内に、Ｓ１２０で把握したグループ及び選択肢を表示させる。その際、各グループそれぞれ、対応する選択肢のうち前回確定時に選択状態とされていた選択肢を選択状態として、その選択肢のアイコンを選択状態アイコンとして中央表示させる。
【００６４】
Ｓ１４０では、ドライバ画面４０に対してユーザによる操作がなされたか否か判断する。ユーザによる操作がなされた場合は（Ｓ１４０：ＹＥＳ）、Ｓ１５０で、ドライバ画面４０における、ユーザ操作がなされた領域を判定する。
【００６５】
ユーザ操作が画面右ブロック３に対して行われた場合は、Ｓ１６０に進み、ユーザ操作が画面左ブロック４に対して行われた場合は、Ｓ１７０に進み、ユーザ操作がＯＫボタン５の押し操作であった場合は、Ｓ１８０に進む。なお、図７には記載していないが、キャンセルボタン６が押し操作された場合は、ドライバ画面４０を消去して図７の処理を終了する。
【００６６】
ＯＫボタン５が押し操作されたことによりＳ１８０に進むと、現在の各設定項目の選択状態を確定し、ＨＤＤ１４に記憶する。Ｓ１９０では、現在の設定簡易選択タブ４５の表示状態に基づいて、選択履歴情報を更新する。つまり、各グループにおいて選択状態として表示されている選択肢のうち選択履歴情報に含まれていない選択肢がある場合にはその選択肢を新たに選択履歴情報として追加する。
【００６７】
Ｓ１６０の右ブロック処理の詳細は、図８に示す通りである。Ｓ１６０の右ブロック処理に進むと、図８に示すように、Ｓ３１０で、画面右ブロック３内で変更された設定項目に対応したグループを、選択履歴情報から抽出する。Ｓ３２０では、画面右ブロック３内で変更された設定項目の設定値に対応した選択肢を選択履歴情報から抽出する。
【００６８】
Ｓ３３０では、グループ存在判定を行う。グループ存在判定は、選択履歴情報内に、変更された設定項目に対応したグループが存在するか否かの判定、即ちＳ３１０でグループが抽出されたか否かの判定である。選択履歴情報内に変更された設定項目に対応したグループが存在する場合は、Ｓ３５０に進む。選択履歴情報内に変更された設定項目に対応したグループが存在しない場合は、Ｓ３４０で、設定簡易選択タブ４５内に、その変更された設定項目に対応したグループを新規に追加し、そのグループ内に、選択肢としてデフォルト値を追加（詳しくはデフォルト値のアイコンを非選択状態アイコンとして表示）する。
【００６９】
Ｓ３５０では、設定簡易選択タブ４５内におけるグループの選択状態を、設定変更が行われたグループに設定する。
Ｓ３６０では、選択状態選択肢判定を行う。選択状態選択肢判定は、設定簡易選択タブ４５内の、設定変更が行われたグループにおける、現在選択状態にされている選択肢が、選択履歴情報として記憶されている選択肢であるか否かの判定である。設定簡易選択タブ４５内の、設定変更が行われたグループにおける、現在選択状態にされている選択肢が、選択履歴情報として記憶されている選択肢である場合は、Ｓ３８０に進む。設定簡易選択タブ４５内の、設定変更が行われたグループにおける、現在選択状態にされている選択肢が、選択履歴情報として記憶されている選択肢ではない場合は、Ｓ３７０に進む。Ｓ３７０では、設定変更が行われたグループにおいて現在選択状態にされている選択肢を、設定簡易選択タブ４５から削除する。
【００７０】
Ｓ３８０では、選択肢存在判定を行う。選択肢存在判定は、設定簡易選択タブ４５内の、設定変更が行われたグループ内に、設定変更された設定値がすでに存在しているか否かの判定である。設定簡易選択タブ４５内の、設定変更が行われたグループ内に、設定変更された設定値がすでに存在している場合は、Ｓ４００に進む。設定簡易選択タブ４５内の、設定変更が行われたグループ内に、設定変更された設定値が存在していない場合は、Ｓ３９０に進む。Ｓ３９０では、設定簡易選択タブ４５内の設定変更されたグループ内に、設定変更された選択肢を追加する。
【００７１】
Ｓ４００では、設定簡易選択タブ４５内の、設定変更されたグループにおける選択状態を、設定変更された選択肢に設定する。これにより、画面右ブロック３で設定変更された設定値が、設定簡易選択タブ４５において選択状態の選択肢として表示されることになる。
【００７２】
Ｓ１７０の左ブロック処理の詳細は、図９に示す通りである。Ｓ１７０の左ブロック処理に進むと、図９に示すように、Ｓ５１０で、操作内容判定を行う。操作内容判定は、画面左ブロック４においてどのような操作がなされたのかの判定である。より具体的には、特定のグループを削除するグループ削除操作がなされたのか、特定の選択肢を削除する選択肢削除操作がなされたのか、特定のグループ内において選択肢を変更するグループ内選択操作がなされたのかを判定する。
【００７３】
Ｓ５１０の判定で、画面左ブロック４においてグループ削除操作がなされたと判定した場合は、Ｓ５２０に進む。Ｓ５２０では、削除操作がされたグループを設定簡易選択タブ４５から削除する。
【００７４】
Ｓ５１０の判定で、画面左ブロック４において選択肢削除操作がなされたと判定した場合は、Ｓ５３０に進む。Ｓ５３０では、削除操作がされた選択肢を設定簡易選択タブ４５から削除する。
【００７５】
Ｓ５１０の判定で、画面左ブロック４においてグループ内選択操作がなされたと判定した場合は、Ｓ５４０に進む。Ｓ５４０では、操作内容に応じて、操作対象のグループ内における選択状態の選択肢を変更する。Ｓ５５０では、画面右ブロック３内の各設定項目のうち、Ｓ５４０で変更されたグループに対応した設定項目を抽出する。Ｓ５６０では、Ｓ５５０で抽出した設定項目における各設定値のうち、Ｓ５４０で選択状態に変更された選択肢に対応した設定値を抽出する。Ｓ５７０では、画面右ブロック３における、Ｓ５５０で抽出した設定項目の設定値の選択状態を、Ｓ５６０で抽出した設定値に変更する。
【００７６】
（５）実施形態の効果
以上説明した本実施形態のプリンタドライバ２２によれば、画面右ブロック３においてデフォルト値から変更されたことのある設定値については、それが画面左ブロック４の設定簡易選択タブ４５にも選択肢として表示される。そして、設定簡易選択タブ４５においても、各選択肢の中から選択状態の選択肢を切り替えることができる。
【００７７】
設定簡易選択タブ４５に表示される選択肢は、設定変更履歴が反映された設定値であり、選択履歴情報として累積記憶されている設定値である。そのため、設定簡易選択タブ４５を利用することによって、ユーザのニーズに応じた設定値の設定を容易且つ効率的に行うことができ、ユーザの使い勝手が向上する。
【００７８】
設定簡易選択タブ４５で選択状態の選択肢を切り替えた場合、それに伴って、画面右ブロック３においても該当する設定項目の設定値の選択状態が変更される。つまり、両画面の選択状態は常に同じ状態にされる。そのため、ユーザは、現在の選択状態を適切に認識することができる。
【００７９】
設定簡易選択タブ４５に含まれていない設定値が新たに画面右ブロック３で選択された場合は、その設定値が、設定簡易選択タブ４５の該当ブロックに新たに選択肢として追加され、且つ選択状態にされる。その新たに追加された選択肢は、その後ＯＫボタン５が押されるまでの間は選択肢として保持させ続けてもよい。その場合、ＯＫボタン５が押されるまでの間に選択変更した設定値は設定簡易選択タブ４５に累積的に追加されていくため、それら設定値については設定簡易選択タブ４５を利用して選択状態を切り替えることができる。
【００８０】
設定簡易選択タブ４５に新たにグループが追加されて選択肢が追加される場合は、選択肢としてデフォルト値も追加される。そのため、一度変更した設定値を再びデフォルト値に戻したい場合には、設定簡易選択タブ４５を利用して容易にデフォルト値に戻すこともできる。
【００８１】
また、設定簡易選択タブ４５に追加されている内容は、適宜削除することができる。具体的には、グループ毎に一括して削除することができ、また、選択肢毎に個別に削除することができる。設定値の変更、確定を繰り返す度に設定簡易選択タブ４５内の選択肢が増加すると、ユーザの使用頻度が低くなっている選択肢もそのまま残ってしまう可能性がある。これに対し,本実施形態では、選択肢を削除できるため、設定簡易選択タブ４５内の選択肢の数を適切に絞り込むことができる。
【００８２】
なお、本実施形態において、ＰＣ１０は本発明のデバイス制御装置の一例に相当する。プリンタ３０は本発明のデバイスの一例に相当する。ＰＣ１０のＣＰＵ１１は本発明のコンピュータ及び制御部の一例に相当する。プリンタドライバ２２は本発明のデバイス制御プログラムの一例に相当する。画面右ブロック３に表示される各タブ４１〜４３は本発明の詳細設定画面の一例に相当する。設定簡易選択タブ４５は本発明の簡易設定画面の一例に相当する。デフォルト値は本発明の特定の設定値の一例に相当する。ＨＤＤ１４は本発明の記憶部の一例に相当する。設定簡易選択タブ４５に表示される各選択肢の各アイコンは本発明の選択用画像の一例に相当する。Ｓ１３０の処理は本発明の第１の画面表示処理及び第２の画面表示処理の一例に相当する。Ｓ１２０の処理は本発明の選択肢設定処理の一例に相当する。Ｓ１４０の処理は本発明の画像切替処理の一例に相当する。Ｓ１４０〜Ｓ１５０の処理は本発明の選択処理の一例に相当する。Ｓ１８０の処理は本発明の確定処理の一例に相当する。Ｓ１９０の処理は本発明の記憶処理の一例に相当する。Ｓ５７０の処理は本発明の両画面同期処理の一例に相当する。Ｓ３９０〜Ｓ４００の処理は本発明の追加表示処理の一例に相当する。Ｓ５２０及びＳ５３０の処理は本発明の選択肢解除処理の一例に相当する。
【００８３】
［他の実施形態］
（１）選択履歴情報として、過去に確定された設定値に加えて、確定はされていないもののユーザにより一時的に選択されたことがある設定値についても、その一部又は全てを記憶させるようにしてもよい。このようにすることで、ドライバ画面４０が表示される際、設定簡易選択タブ４５に、過去に確定された設定値だけでなく、一時的に選択したことのある設定値についても、選択肢として表示させることができる。
【００８４】
（２）上記実施形態では、ある設定項目について初めてデフォルト値から他の設定値へ変更されたことによって設定簡易選択タブ４５に新規にグループが追加された場合、デフォルト値もあわせてそのグループ内に追加される構成であったが、デフォルト値までグループに追加することは必須ではない。設定簡易選択タブ４５内の各グループには、あくまでも、デフォルト値から変更された、デフォルト値とは異なる設定値のみを選択肢として追加するようにしてもよい。ただしその場合、一旦デフォルト値から変更されてその変更された設定値が設定簡易選択タブ４５に追加されたものの、その後再び、画面右ブロック３にてデフォルト値への変更操作がなされた場合は、そのデフォルト値については、設定簡易選択タブ４５内の該当するグループ内に選択肢として追加するようにしてもよい。
【００８５】
（３）上記実施形態では、画面左ブロック４の１つのグループ内に同時に表示可能なアイコンの数は最大で３つだったが、これはあくまでも一例である。１つのグループ内に同時に表示可能なアイコンの数は適宜決めることができる。さらに、設定簡易選択タブ４５内に選択履歴をどのような表示方法で表示させるかについても、適宜決めることができる。また、ドライバ画面４０における各タブの配置方法や形状、大きさなどについても、適宜決めることができる。
【００８６】
（４）選択状態の確定は、ＯＫボタン５が押されたときに限定されない。例えば、ＯＫボタン５が押された後実際に印刷指示がなされてプリンタ３０で印刷が実行されたときに選択状態を確定してもよい。
【００８７】
（５）本発明の適用は、ＰＣ１０への適用に限定されず、プリンタ３０への適用にも限定されず、プリンタドライバ２２への適用にも限定されない。プログラムを実行可能な情報処理装置からデバイスを制御するよう構成されたあらゆる形態に対して本発明を適用可能である。
【００８８】
（６）その他、本発明は、上記の実施形態に示された具体的手段や構造等に限定されるものではなく、本発明の要旨を逸脱しない範囲において種々の形態を採り得る。例えば、上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００８９】
１…印刷システム、３…画面右ブロック、４…画面左ブロック、５…ＯＫボタン、６…キャンセルボタン、１０…ＰＣ、１１，３１…ＣＰＵ、１２，３２…ＲＯＭ、１３，３３…ＲＡＭ、１４…ＨＤＤ、１５，３５…操作部、１６，３６…表示部、１７…ＵＳＢインタフェース、１８，３８…ネットワークインタフェース、１９，３９…バス、２２…プリンタドライバ、２３…アプリケーション、３０…プリンタ、３４…ＮＶＲＡＭ、３７…印刷部、４０…ドライバ画面、４１…基本設定タブ、４２…拡張機能タブ、４３…印刷タブ、４４…印刷状態表示タブ、４５…設定簡易選択タブ、５１…用紙種類選択ボックス、５２…印刷品質選択ボックス、５３…用紙サイズ選択ボックス、５４…選択用ラジオボタン、５５…レイアウト選択ボックス、５６…両面印刷選択ボックス、５７…給紙方法選択ボックス、６１，６３…グループ、６２，６４…選択状態アイコン、６２ａ，６４ａ…非選択状態アイコン、１００…ＬＡＮ。
【図１】
2015191549.tif 000003
【図２】
2015191549.tif 000004
【図３】
2015191549.tif 000005
【図４】
2015191549.tif 000006
【図５】
2015191549.tif 000007
【図６】
2015191549.tif 000008
【図７】
2015191549.tif 000009
【図８】
2015191549.tif 000010
【図９】
2015191549.tif 000011